(57)【特許請求の範囲】
【請求項１】
パケットデータ網を有する４Ｇの移動体通信網及び回線交換網を有する３Ｇの移動体通信網を介して通信可能な通信端末装置と、前記通信端末装置による音声通信を制御するように前記移動体通信網に設けられたサーバと、を備えた通信システムであって、
前記通信端末装置は、
パケットデータ網及び回線交換網を介して通話可能な音声通信手段と、
第１呼との間で通話している通話中における第２呼の割り込み着信のＯＮ／ＯＦＦ設定情報を記憶する手段と、
前記割り込み着信のＯＮ／ＯＦＦ設定情報を前記サーバに送信する手段と、
４Ｇの移動体通信網との無線通信可能なエリアに在圏して第１呼との間で通話している通話中に第２呼の割り込み着信を受けたとき、前記通信端末装置に記憶されている前記割り込み着信のＯＮ／ＯＦＦ設定情報に基づいて前記第２呼の割り込み着信のユーザ通知を制御する手段と、
３Ｇの移動体通信網との無線通信可能なエリアに在圏して第１呼との間で通話している通話中に第２呼の割り込み着信を受けたとき、その第２呼の割り込み着信のユーザ通知を行う手段と、
前記サーバは、
前記第２呼の割り込み着信のＯＮ／ＯＦＦ設定情報を前記通信端末装置から受信する手段と、
前記通信端末装置から受信した前記割り込み着信のＯＮ／ＯＦＦ設定情報を記憶する手段と、
前記通信端末装置が４Ｇの移動体通信網との無線通信可能なエリアに在圏して第１呼との間で通話している通話中に前記通信端末装置に対する第２呼の割り込み着信を受けたとき、前記サーバに記憶されている前記割り込み着信のＯＮ／ＯＦＦ設定情報にかかわらず前記第２呼の割り込み着信を前記通信端末装置に転送する手段と、
前記通信端末装置が３Ｇの移動体通信網との無線通信可能なエリアに在圏して第１呼との間で通話している通話中に前記通信端末装置に対する第２呼の割り込み着信を受けたとき、前記サーバに記憶されている前記割り込み着信のＯＮ／ＯＦＦ設定情報に基づいて前記第２呼の割り込み着信の前記通信端末装置への転送を制御する手段と、を備えることを特徴とする通信システム。
【請求項２】
請求項１の通信システムにおいて、
前記通信端末装置は、
４Ｇの移動体通信網との無線通信可能なエリアに在圏して第１呼との間で通話している通話中に第２呼の割り込み着信を受けたとき、前記第２呼の割り込み着信に対する呼び出し信号を前記サーバに送信し、その後に、前記第２呼の通信端末装置に対する応答信号を送信する手段を備え、
前記サーバは、
前記第２呼の割り込み着信に対する呼び出し信号を受信することにより前記第２呼の割り込み着信があったと判断し、セッション進捗状況を示す信号を前記第２呼の通信端末装置に送信する手段と、
前記セッション進捗状況を示す信号を送信した後、前記呼び出し信号に続いて受信した前記応答信号を、前記第２呼の通信端末装置に転送する手段と、を備えることを特徴とする通信システム。
【請求項３】
請求項２の通信システムにおいて、
前記通信端末装置は、
４Ｇの移動体通信網との無線通信可能なエリアに在圏して第１呼との間で通話している通話中に第２呼の割り込み着信を受けたとき、前記割り込み着信のＯＮ／ＯＦＦ設定情報がＯＦＦの場合、前記第２呼の割り込み着信のユーザ通知を行わず、通話中である旨を示す応答信号を前記第２呼の通信端末装置に送信することを特徴とする通信システム。
【発明の詳細な説明】
【技術分野】
【０００１】
本発明は、パケットデータ網を有する移動体通信網を介して通信可能な通信端末装置を含む通信システムに関するものである。
【背景技術】
【０００２】
従来、パケットデータ網を介した音声通信機能を有する通信端末装置が知られている（例えば非特許文献１参照）。パケットデータ網を介した音声通信は、第４世代（４Ｇ）の通信方式であるＬＴＥ（ロング・ターム・エボルーション）標準に準拠した通信技術を利用して音声通信サービスが提供されるため、ＶｏＬＴＥ（ボイス・オーバー・ＬＴＥ）とも呼ばれている。
【０００３】
音声通信の付加サービスとして、「ＣＷ（コミュニケーション・ウェイティング）」と呼ばれる割り込み着信サービスが知られている（非特許文献２参照）。この割り込み着信サービスでは、他の通信端末装置から第１呼を受けて通話している通話中に別の通信端末装置から第２呼の割り込み着信があったときに、第１呼との通話を一旦保留にして、割り込み着信の第２呼に応答できる付加サービスである。
【発明の概要】
【発明が解決しようとする課題】
【０００４】
上記パケットデータ網を介した音声通信機能を有する通信端末装置は、同時に第三世代（３Ｇ）の移動体通信網（回線交換網）を介した音声通信機能も有する場合がある。
【０００５】
上記４Ｇおよび３Ｇ両方の移動体通信網を介した音声通話機能を有する通信端末装置においても、通話中に他の通信端末装置から着信があったときに、通話を一旦保留にして、その着信に応答する割り込み着信サービスを利用することができる。この割り込み着信サービスは、通信端末装置が３Ｇセルに在圏しているか４Ｇ（ＬＴＥ）セルに在圏しているかによって処理手順が異なる場合があり得る。３Ｇの通信システムとＬＴＥの通信システムとで割り込み着信（ＣＷ：コミュニケーション・ウェイティング）サービスの提供方法が異なる場合があるためである。
【０００６】
上記通信端末装置が３Ｇセルに在圏しているか４Ｇ（ＬＴＥ）セルに在圏しているかによって割り込み着信の処理手順が異なる場合、割り込み着信のＯＮ／ＯＦＦ設定に応じた割り込み着信サービスを提供することができないおそれがある。
【０００７】
本発明は以上の問題点に鑑みなされたものであり、その目的は、４Ｇの移動体通信網を介した音声通信機能及び３Ｇの移動体通信網を介した音声通信機能の両方を有する通信端末装置において、第１呼との通話中に第２呼の割り込み着信を受けたとき、割り込み着信のＯＮ／ＯＦＦ設定状態に応じた割り込み着信サービスを確実に提供することができる通信システムを提供することである。
【課題を解決するための手段】
【０００８】
本発明の一態様に係る通信システムは、パケットデータ網を有する４Ｇの移動体通信網及び回線交換網を有する３Ｇの移動体通信網を介して通信可能な通信端末装置と、前記通信端末装置による音声通信を制御するように前記移動体通信網に設けられた網側装置と、を備えた通信システムであって、前記通信端末装置は、パケットデータ網及び回線交換網を介して通話可能な音声通信手段と、第１呼との間で通話している通話中における第２呼の割り込み着信のＯＮ／ＯＦＦ設定情報を記憶する手段と、前記割り込み着信のＯＮ／ＯＦＦ設定情報を前記網側装置に送信する手段と、４Ｇの移動体通信網との無線通信可能なエリアに在圏して第１呼との間で通話している通話中に第２呼の割り込み着信を受けたとき、前記通信端末装置に記憶されている前記割り込み着信のＯＮ／ＯＦＦ設定情報に基づいて前記第２呼の割り込み着信のユーザ通知を制御する手段と、３Ｇの移動体通信網との無線通信可能なエリアに在圏して第１呼との間で通話している通話中に第２呼の割り込み着信を受けたとき、その第２呼の割り込み着信のユーザ通知を行う手段と、前記網側装置は、前記第２呼の割り込み着信のＯＮ／ＯＦＦ設定情報を前記通信端末装置から受信する手段と、前記通信端末装置から受信した前記割り込み着信のＯＮ／ＯＦＦ設定情報を記憶する手段と、前記通信端末装置が４Ｇの移動体通信網との無線通信可能なエリアに在圏して第１呼との間で通話している通話中に前記通信端末装置に対する第２呼の割り込み着信を受けたとき、前記網側装置に記憶されている前記割り込み着信のＯＮ／ＯＦＦ設定情報にかかわらず前記第２呼の割り込み着信を前記通信端末装置に転送する手段と、前記通信端末装置が３Ｇの移動体通信網との無線通信可能なエリアに在圏して第１呼との間で通話している通話中に前記通信端末装置に対する第２呼の割り込み着信を受けたとき、前記網側装置に記憶されている前記割り込み着信のＯＮ／ＯＦＦ設定情報に基づいて前記第２呼の割り込み着信の前記通信端末装置への転送を制御する手段と、を備える。
前記通信システムにおいて、前記通信端末装置は、４Ｇの移動体通信網との無線通信可能なエリアに在圏して第１呼との間で通話している通話中に第２呼の割り込み着信を受けたとき、前記第２呼の割り込み着信に対する呼び出し信号を前記網側装置に送信し、その後に、前記第２呼の通信端末装置に対する応答信号を送信する手段を備え、前記網側装置は、前記第２呼の割り込み着信に対する呼び出し信号を受信することにより前記第２呼の割り込み着信があったと判断し、セッション進捗状況を示す信号を前記第２呼の通信端末装置に送信する手段と、前記セッション進捗状況を示す信号を送信した後、前記呼び出し信号に続いて受信した前記応答信号を、前記第２呼の通信端末装置に転送する手段と、を備えてもよい。
また、前記通信システムにおいて、前記通信端末装置は、４Ｇの移動体通信網との無線通信可能なエリアに在圏して第１呼との間で通話している通話中に第２呼の割り込み着信を受けたとき、前記割り込み着信のＯＮ／ＯＦＦ設定情報がＯＦＦの場合、前記第２呼の割り込み着信のユーザ通知を行わず、通話中である旨を示す応答信号を前記第２呼の通信端末装置に送信してもよい。
【発明の効果】
【０００９】
本発明によれば、４Ｇの移動体通信網を介した音声通信機能及び３Ｇの移動体通信網を介した音声通信機能の両方を有する通信端末装置において、第１呼との通話中に第２呼の割り込み着信を受けたとき、割り込み着信のＯＮ／ＯＦＦ設定状態に応じた割り込み着信サービスを確実に提供することができる。
【図面の簡単な説明】
【００１０】
【図１】本発明の実施形態に係る通信端末装置によって通信可能な通信システム全体の概略構成の一例を示す説明図。
【図２】本実施形態に係る通信端末装置の概略構成の一例を示すブロック図。
【図３】本実施形態の通信端末装置に装着されているＵＩＣＣのファイル構造の一例を示すブロック図。
【図４】本実施形態に係る通信端末装置の電源がＯＮになってからＩＭＳ網を介したＶｏＬＴＥの音声通信が可能になる状態までの処理手順の一例を示すシーケンス図。
【図５】本実施形態に係る通信端末装置においてＶｏＬＴＥの音声発信を行うときの処理手順の一例を示すシーケンス図。
【図６】割り込み着信設定情報（ＣＷ設定情報）がＯＦＦに設定されている通信端末装置が４Ｇ（ＬＴＥ）セル在圏時にＶｏＬＴＥによる通話中に他の通信端末装置から第２呼の割り込み着信があったときの処理の一例を示すシーケンス図。
【図７】割り込み着信設定情報（ＣＷ設定情報）がＯＮに設定されている通信端末装置が４Ｇ（ＬＴＥ）セル在圏時にＶｏＬＴＥによる通話中に、他の通信端末装置から第２呼の割り込み着信があったときの処理の一例を示すシーケンス図。
【発明を実施するための形態】
【００１１】
以下、図面を参照して本発明の実施の形態について説明する。
図１は本発明の実施形態に係る通信端末装置によって通話（音声通信）や各種メッセージのメール送受信が可能な通信システム全体の概略構成の一例を示す説明図である。本実施形態の通信システムでは、複数の通信端末装置１０から電話サービスやメール送受信等のメール通信サービスを利用することができる。
【００１２】
本実施形態の通信端末装置１０は、ＬＴＥ／ＬＴＥ−Ａｄｖａｎｃｅｄに準拠した移動体通信網上でパケットデータ網を介した音声通信であるＶｏＬＴＥに対応した通信端末装置であり、ユーザ装置（ＵＥ）とも呼ばれる。また、本実施形態の通信端末装置１０は、３Ｇの移動体通信網上で回線交換網を介した通話機能も有し、ＶｏＬＴＥに対応していない通信端末装置との間では回線交換網を介して通話を行うことができる。
【００１３】
移動体通信網２０は、基地局や無線ネットワーク制御装置等を含む無線アクセスネットワーク（ＲＡＮ）２１０と、Ｗ−ＣＤＭＡ（広帯域符号分割多重アクセス）等の３Ｇ（第３世代）無線通信方式に対応したコアネットワーク２２０と、ＬＴＥ／ＬＴＥ−Ａｄｖａｎｃｅｄ無線通信方式に対応したコアネットワーク（ＥＰＣ：エボルブド・パケット・コア）２４０とを備えている。更に、移動体通信網２０は、ＰＤＮ（パケットデータ網）として、移動体通信網２０内に構築された専用パケットデータ網２３０とＩＭＳ網２５０とを備えている。
【００１４】
また、移動体通信網２０は、図１において図示が省略されているが、各利用者による通信サービスの利用を管理する通信サービス利用管理装置としてのＲＡＤＩＵＳ（リモート認証ダイヤルイン  ユーザー  サービス）サーバ等の網側装置を備えている。ＲＡＤＩＵＳサーバは、通信端末装置１０を用いた通信サービスの利用者を識別する認証処理、認証済みの利用者に対して通信サービスを提供するか否かを判断する処理、実際の通信サービスの利用情報を記録するアカウンティング等を行う。
【００１５】
無線アクセスネットワーク２１０は、Ｗ−ＣＤＭＡ等の３Ｇ無線通信方式の基地局（ＮｏｄｅＢ）２１１と、ＬＴＥ／ＬＴＥ−Ａｄｖａｎｃｅｄ無線通信方式の基地局（ｅＮｏｄｅＢ）２１２とを備えている。各基地局２１１、２１２はそれぞれ、管轄対象のセルごとに設けられ、移動体通信網２０内の有線回線からのデータを無線インタフェースに合うデータフォーマットに変換し、管轄対象のセル内に在圏している通信端末装置１０に所定の無線周波数で送信する。逆に無線周波数で送信される通信端末装置１０からのデータを受信して有線インタフェースに合うデータフォーマットに変換し、移動体通信網２０内の有線回線部分に転送する。
【００１６】
３Ｇのコアネットワーク２２０は、回線交換網、パケット交換網、並びに、位置登録管理装置としてのＨＬＲ（ホーム・ロケーション・レジスタ）２２１、図示しない認証センター等の網側装置を備え、各通信端末装置１０間の通信等を中継するように通信制御を行う。更に、コアネットワーク２２０は、各通信端末装置１０と、移動体通信網２０内の構成要素との間における通信を中継するように通信制御を行う。また、コアネットワーク２２０は、各通信端末装置１０と他の通信網との間における通信を中継するように通信制御を行う。
【００１７】
また、３Ｇのコアネットワーク２２０に含まれるパケット交換網は、ＳＧＳＮ（サービング・ＧＰＲＳ・サポート・ノード）２２２やＧＧＳＮ（ゲートウェイ・ＧＰＲＳ・サポート・ノード）２２３等のノードを有している。ＳＧＳＮ２２２は、基地局２１１が接続されているＲＮＣ（無線ネットワーク制御装置）２１５とコアネットワーク２２０側のパケット交換網との間のゲートウェイ機能と、各通信端末装置１０の位置管理、セキュリティ管理及びアクセス制御を行う機能とを有している。また、ＧＧＳＮ２２３は、コアネットワーク２２０側のパケット交換網と専用パケットデータ網２３０との間のゲートウェイ機能を有している。
【００１８】
また、３Ｇのコアネットワーク２２０に含まれる回線交換網は、ＭＳＣ（モバイル交換機）２２４と、ＧＭＳＣ（ゲートウェイＭＳＣ）２２５等のノードを有している。交換機２２４は、通信端末装置１０が在圏するセルで通信端末装置１０の位置情報を登録し管理するＶＬＲ（在圏・ロケーション・レジスタ）の機能と、呼制御機能とサービス制御機能との間で行なわれるインタラクションのための一連のプロセスを実行するＳＳＦ（サービス交換機能）の機能も有している。また、外部の回線交換電話網６０との間の音声通信などは関門交換機２２５を介して行うことができる。
【００１９】
専用パケットデータ網２３０は、プロキシ（Ｐｒｏｘｙ）サーバ２３１、ゲートウェイ（ＧＷ）サーバ２３２、ＷＥＢサーバ２３３、図示しない加入者情報データベース等の各種網側装置を備えている。プロキシサーバ２３１は、通信端末装置１０と、専用パケットデータ網２３０内に設けられたＷＥＢサーバ２３３等の各種サーバ及びインターネット７０上のＷＥＢサーバやダウンロードサーバ等の各種サーバ７１との間の通信を中継する処理を行う。また、プロキシサーバ２３１は、３Ｇコアネットワーク２２０における通信プロトコルと専用パケットデータ網２３０やインターネット７０における通信プロトコルが異なる場合に、両通信プロトコルを合わせるためのプロトコル変換機能も有している。ゲートウェイサーバ２３２は、移動体通信網２０内の専用パケットデータ網２３０とインターネット７０との間のゲートウェイ機能とファイヤウォール機能とを有している。
【００２０】
ＬＴＥのコアネットワーク（ＥＰＣ）２４０は、ＨＳＳ（ホーム加入者サーバ）２４１、ＭＭＥ（モビリティ・管理・エンティティ）２４２、ＳＧＷ（サービング・ゲートウェイ）２４３、ＰＧＷ（パケットデータ網・ゲートウェイ）２４４、ポリシー課金制御装置であるＰＣＲＦ（ポリシー課金ルール機能）２４５等の網側装置を備えている。ＨＳＳ２４１は、加入者情報の管理やサービス制御などを行うサーバである。ＭＭＥ２４２は、基地局（ｅＮｏｄｅＢ）２１２を収容し、モビリティ制御などを提供する論理ノードである。また、ＳＧＷ２４３は、ＭＭＥ２４２とＰＧＷ２４４との間でユーザデータを中継したり３Ｇのコアネットワーク２２０側にユーザデータを転送したりする在圏パケットゲートウェイ（在圏パケット交換機）である。また、ＰＧＷ２４４は、ＩＭＳ網２５０やインターネット７０との接続点に設置され、ＩＰアドレスの割当てやＳＧＷ２４３へのパケット転送などを行うゲートウェイである。また、ＰＣＲＦ２４５は、ユーザデータ転送のＱｏＳ（通信サービス品質）及び課金のための制御を行う論理ノードである。
【００２１】
ＩＭＳ網２５０は、音声セッション制御を行うことができるパケットデータ網であり、Ｐ−ＣＳＣＦ（プロキシ−呼／セッション・制御機能）２５１、Ｓ−ＣＳＣＦ（サービング−呼／セッション・制御機能）２５２、Ｉ−ＣＳＣＦ（問い合わせ・呼／セッション・制御機能）２５３、ＡＳ（アプリケーション・サーバ）２５４、ＸＤＭ（ＸＭＬドキュメント管理）サーバ２５６等の網側装置を備える。Ｐ−ＣＳＣＦ２５１は、コアネットワーク（ＥＰＣ）２４０との接続点に設置されるＳＩＰ中継サーバであり、ＳＩＰ信号の転送だけでなく、コアネットワーク（ＥＰＣ）２４０と連携してＱｏＳ制御を起動させる機能を有している。また、Ｓ−ＣＳＣＦ２５２は、端末のセッション制御及びユーザ認証を行うＳＩＰサーバである。また、Ｉ−ＣＳＣＦ２５３は、相互接続・ローミングの際、外部の他のＩＭＳ網８０から接続する最初の関門ＳＩＰサーバであり、Ｓ−ＣＳＣＦ２５２を特定する機能と信号を中継する機能を有している。
【００２２】
ＡＳ２５４は、ＩＭＳ等のサービスを提供するためのサーバであり、ユーザのログイン登録により加入者識別情報に基づいて、音声やビデオなどのマルチメディア・アプリケーションを各通信端末装置１０に提供する。また、ＡＳ２５４は、通信端末装置１０からのＩＭＳサービスの登録解除要求や登録要求を受信する手段、登録解除要求に基づき利用者の利用登録を解除する処理を実行する手段、登録要求に基づき利用者の利用登録の処理を実行する手段、これらの処理が完了した旨の情報を含む登録解除完了応答又は登録完了応答を通信端末装置１０に送信する手段等の機能を備えている。
【００２３】
ＸＤＭサーバ２５６は、通信端末装置ごとに又はそのユーザごとに、ＩＭＳで提供される各種サービスで用いられる設定情報をＸＣＡＰ文書（ＸＭＬ文書）として格納して管理するサーバである。例えば、ＸＤＭサーバ２５６は、通信端末装置ごとに又はそのユーザごとに、ＩＭＳで提供されるＶｏＬＴＥサービス及びその付加サービス（例えば、ＶｏＬＴＥの発着信、割り込み着信、着信転送）で用いられる割り込み着信のＯＮ／ＯＦＦ設定情報（ＣＷ設定情報）をＸＣＡＰ文書（ＸＭＬ文書）として格納して管理する。
【００２４】
上記通信システムでは、通信端末装置１０を用いて通信サービスを利用するための複数の識別情報が所定のサーバやデータベースに登録されて管理される。例えば、移動体通信網２０での電話、メッセージ、メール、インターネットアクセス等の通信サービスを利用するための識別情報であるＩＭＳＩ（加入者識別子）、ＭＳＩＳＤＮ（電話番号）、ＩＭＥＩ（インターナショナル・モバイル・イクイップメント・アイデンティファイア：端末識別情報）等が、加入者情報データベースであるＨＬＲ（ホーム・ロケーション・レジスタ）２２１に登録されて管理される。また、移動体通信網２０上に構築されたＩＰネットワークであるＩＭＳ（ＩＰ・マルチメディア・サブシステム）ネットワークにおけるＶｏＬＴＥ等の通信サービスを利用するための識別情報であるＩＭＰＵ、ＩＭＰＩ等が、ＩＭＳの加入者情報管理サーバであるＨＳＳ２４１に登録されて管理される。これらのＨＬＲ２２１及びＨＳＳ２４１は、移動体通信網２０を介して所定の通信プロトコルにより通信端末装置１０と通信できるように構成されている。
【００２５】
ここで、ＩＭＰＵは、ＩＭＳネットワーク内でＳＩＰメッセージ信号を宛先の通信端末装置（ＩＭＳ端末）までルーティングするための一意に識別可能な識別子であり、例えばＭＳＩＳＤＮに基づいて生成することができる（非特許文献３の第１３章参照）。また、ＩＭＰＩは、ＩＭＳの加入契約の識別やＩＭＳへのアクセス時の認証のために使用される一意に識別可能な識別子であり、例えばＩＭＳＩに基づいて生成することができる（非特許文献３の第１３章参照）。
【００２６】
通信端末装置１０は、移動体通信網２０の基地局（ＮｏｄｅＢ）２１１を介してＨＬＲ２２１と通信することができ、基地局（ｅＮｏｄｅＢ）２１２を介してＨＳＳ２４１と通信することができる。この通信端末装置１０には、３Ｇ，４Ｇ，ＬＴＥ（ロング・ターム・エボルーション）等の移動体通信網２０での電話、メッセージ、メール、インターネットアクセス等の通信サービス（以下、「移動体通信サービス」という。）やＩＭＳネットワークにおけるＶｏＬＴＥ等の通信サービス（以下、「ＩＭＳ通信サービス」という。）を利用するためのソフトウェアであるアプリケーションプログラムが組み込まれている。また、通信端末装置１０には、上記ＩＭＳＩ、ＭＳＩＳＤＮ、ＩＭＥＩ、ＩＭＰＵ、ＩＭＰＩ等の複数の識別情報が格納される汎用統合ＩＣカードであるＵＩＣＣ（ユニバーサル・ＩＣカード）１５を備えている。このＵＩＣＣ１５には、上記通信サービスで使用される各種データやカード内で所定の動作や処理を行うための個別プログラムであるアプレットも格納されている。なお、本実施形態の通信端末装置１０は、利用者の作業によってＵＩＣＣを着脱できるように構成されているが、利用者が容易に取り外せないようにＵＩＣＣを内部に組み込むように構成してもよい。
【００２７】
上記アプリケーションプログラム（以下、適宜「アプリケーション」と略す）やアプレットは、通信ネットワーク上のサーバから適宜ダウンロードして通信端末装置１０内に登録することができ、それらの中から利用者が選択して実行することができる。アプリケーションプログラムやアプレットは、通信端末装置１０に構築されたＪＡＶＡ（登録商標）実行環境などのアプリケーション実行環境上で実行される。
【００２８】
図２は、本実施形態の通信端末装置１０のハードウェア構成の一例を示すブロック図である。この通信端末装置１０は、主制御部１１０と無線通信部１１１とベースバンド処理部１１２と音入出力部１１３と表示部１１４と操作手段としての操作部１１５とを備える。また、通信端末装置１０は、装置本体に対して着脱可能なＵＩＣＣ１５が装着されている。ＵＩＣＣ１５は、移動体通信サービスで用いられるＵＳＩＭとしての機能とＩＭＳ通信サービスで用いられるＩＳＩＭとしての機能とが組み込まれている。
【００２９】
主制御部１１０は、ＭＰＵ（マイクロ・プロセッシング・ユニット）、ＲＡＭ、ＲＯＭ等を備え、所定の基本ＯＳやミドルウェア等のプログラムが実行されることにより、ベースバンド処理部１１２等の各部を制御したり、ソフトウェア構成上のネイティブプラットフォーム環境やアプリケーション実行環境を構築したりする。
【００３０】
無線通信部１１１は、移動体通信網２０を介して通信するネットワーク通信手段として機能し、例えばシンセサイザ、周波数変換器、高周波増幅器などにより構成され、移動体通信網２０の基地局（ＮｏｄｅＢ）２１１及び基地局（ｅＮｏｄｅＢ）２１２との間で無線通信するための高周波信号処理を実行する。
【００３１】
ベースバンド処理部１１２は、他の携帯電話機等の通信端末装置や各種サーバとの間で音声通信やデータ送受信の通信を行うためのデジタル処理を実行する。このベースバンド処理部１１２と上記無線通信部１１１との間はＤ／Ａ変換器やＡ／Ｄ変換器を介して接続されている。
【００３２】
音入出力部１１３は、マイク、スピーカ、音信号処理部等で構成されている。マイクから出力されるアナログの音声信号は、音信号処理部でデジタル信号に変換され、主制御部１１０やベースバンド処理部１１２等に送られる。スピーカは、音信号処理部でデジタル信号から変換されたアナログ信号が入力され、通話中の音声を出力したり、メールの着信音、電話の呼び出し音、音楽などを出力したりする。なお、スピーカは、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００３３】
表示部１１４は、ＬＣＤ（液晶ディスプレイ）等で構成され、主制御部１１０からの指令に基づいて各種画像を表示する。操作部１１５は、表示部１１４に組み込まれたタッチパネルや、各種の操作キーやボタン、電源ＯＮ／ＯＦＦ手段としての電源スイッチなどで構成されている。この操作部１１５は、利用者が、通信端末装置１０の本体電源をＯＮ／ＯＦＦしたり、通話開始、終話、メニュー選択、画面切り換え等を指示したり、情報を入力したりするときに用いられる。
【００３４】
また、通信端末装置１０は、位置情報取得手段としてのＧＰＳ（グローバル・ポジショニング・システム）部１１７、撮像手段としてのカメラ部１１８、センサー部１１９、電源供給手段としての電源供給部１２０、図示しない時計部等も備えている。
【００３５】
ＧＰＳ部１１７は、ＧＰＳ受信モジュールやＧＰＳアンテナ等で構成され、地球の周りに配置されている複数のＧＰＳ衛星から電波を受信し、その受信結果に基づいて通信端末装置１０が位置する緯度、経度及び高度のデータを算出する。カメラ部１１８は、レンズや撮像デバイス等で構成され、人物や風景等を撮影する時に用いられる。撮像デバイスとしては、ＣＣＤ（Ｃｈａｒｇｅ  Ｃｏｕｐｌｅｄ  Ｄｅｖｉｃｅ）カメラやＣＭＯＳカメラを用いることができる。センサー部１１９は、加速度センサー及び／又は地磁気センサー等で構成されている。加速度センサーは、１軸の加速度センサーであっていいし、２軸や３軸等の複数軸の加速度センサーであってもよい。また、地磁気センサーも、１軸の地磁気センサーであっていいし、２軸や３軸等の複数軸の地磁気センサーであってもよい。このセンサー部１１９の出力に基づいて、通信端末装置１０の位置、向き、姿勢及び動きを示すデータを算出することができる。また、センサー部１１９の出力に基づいて、所定高度における基準位置から利用者の通信端末装置１０が移動したときの加速度データや地磁気データの時間変化の情報である履歴情報から、通信端末装置１０が位置している高度、角度等を示すデータを算出することができる。
【００３６】
電源供給部１２０は、充電可能なバッテリー、バッテリーから各部に所定電圧の電力を供給する電力供給回路、バッテリーを充電する充電回路などを備えている。また、電源供給部１２０は、通信端末装置１０における主要部すなわち音入出力部１１３、表示部１１４、操作部１１５の一部、ＧＰＳ部１１７、カメラ部１１８及びセンサー部１１９への電力供給については、前述の利用者が操作可能な電源スイッチによりＯＮ／ＯＦＦできるように構成されている。なお、電源スイッチのＯＦＦ時に一部の機能を動作させるために、電源供給部１２０は、電源スイッチのＯＦＦ時においても無線通信部１１１、ベースバンド処理部１１２及びＵＩＣＣ１５への電力供給を継続して行うように構成してもよい。
【００３７】
時計部はクロック回路等で構成され、正確な日時を計数し、例えば各種の更新処理等のための時刻情報を生成する。
【００３８】
図３は、本実施形態の通信端末装置１０に装着されているＵＩＣＣ１５の主要構成の一例を示すブロック図である。ＵＩＣＣ１５は、例えばＩＣモジュールで構成され、ＣＰＵなどからなる制御部１５０と、ＲＯＭやＲＡＭなどからなる記憶手段としての記憶部１５１と、通信端末装置本体と通信するためのＩ／Ｏインターフェース部１５２とを備えている。
【００３９】
記憶部１５１は、主に制御部１５０が制御に用いる基本プログラム、アプレット、データ等が格納されたシステム領域１５１ａと、第１の記憶手段としてのＵＳＩＭ領域１５１ｂと、第２の記憶手段としてのＩＳＩＭ領域１５１ｃとを有している。なお、ＵＳＩＭ及びＩＳＩＭをそれぞれ別々のＩＣカードで構成して通信端末装置１０の本体に対して個別に着脱できるようにしてもよい。
【００４０】
ＵＳＩＭ領域１５１ｂには、前述のＩＭＳＩ、ＭＳＩＳＤＮ及びＩＭＥＩ等の複数の識別情報や電話・アドレスブック等の、移動体通信サービスのＵＳＩＭ機能を実現するための各種情報やデータが記憶されている。
【００４１】
また、ＩＳＩＭ領域１５１ｃには、ＩＭＳ通信サービスの利用登録が完了したときに、前述のＩＭＰＵ及びＩＭＰＩ等の複数の識別情報や通信端末装置１０が接続すべきＳＩＰ（セッション・イニシエーション・プロトコル）中継サーバであるＰ−ＣＳＣＦ２５１のアドレス等の、ＩＭＳ通信サービスのＩＳＩＭ機能を実現するための情報やデータ等が記憶される。
【００４２】
また、記憶部１５１のシステム領域１５１ａには、ＵＩＣＣ１５での処理に用いられる比較的小さなサイズのプログラムであるアプレットも記憶されている。例えば、システム領域１５１ａには、ＵＳＩＭ領域１５１ｂに格納された加入者識別情報であるＩＭＳＩ又はＭＳＩＳＤＮに基づいて、ＸＤＭサーバ２５６内の設定情報の書き換えや読み出しに一時的に用いられるテンポラリーＩＭＰＵを生成してＩＳＩＭ領域１５１ｃに格納する処理を行うアプレットが記憶されている。
【００４３】
上記構成の通信端末装置１０では、ＩＭＳで提供されるＶｏＬＴＥの通話サービス、及び、着信転送や割り込み着信などのＶｏＬＴＥによる付加サービスを利用することができる。これらのＶｏＬＴＥやその付加サービスの制御は、ＸＤＭサーバ２５６にＸＣＡＰ文書（ＸＭＬ文書）として格納されている設定情報を利用して実現される。また、ＸＤＭサーバ２５６にＸＣＡＰ文書として格納されている設定情報は、通信端末装置１０からＸＤＭサーバ２５６にアクセスし、ＸＣＡＰメッセージを用いて書き換えたり読み出したりすることができる。しかも、その設定情報の書き換え及び読み出しは、通信端末装置ごとに又はそのユーザごとに行うことができる。
【００４４】
図４は、本実施形態に係る通信端末装置１０の電源がＯＮになってからＩＭＳ網２５０を介したＶｏＬＴＥの音声通信が可能になる状態までの処理手順の一例を示すシーケンス図である。通信端末装置１０において電源ＯＮからＩＭＳ網２５０を介した音声通信が可能になるまでには、以下に示すようにＬＴＥのコアネットワーク（ＥＰＣ）２４０への位置登録手順（アタッチ手順）及びＩＭＳ網２５０への登録手順の２つの手順を実施する必要がある。なお、図４の例では、３Ｇのコアネットワーク２２０とＬＴＥのコアネットワーク（ＥＰＣ）２４０とが互いに連携して位置登録を行う例を示しているが、３Ｇのコアネットワーク２２０及びＬＴＥのコアネットワーク（ＥＰＣ）２４０それぞれに対して個別に位置登録を行うようにしてもよい。
【００４５】
図４において、まず、通信端末装置１０の電源をＯＮにする（Ｓ１０１）と、通信端末装置１０は、ＭＭＥ２４２に対して位置登録要求（アタッチ要求信号）を送信する（Ｓ１０２）。ここで、通信端末装置１０から接続先として設定するアドレス名であるＡＰＮ（アクセスポイント名）は送信されない。
【００４６】
次に、ＭＭＥ２４２は、通信端末装置１０から受信した位置登録要求（アタッチ要求信号）に基づいて、ＨＳＳ２４１との間で位置登録手順を行い、ＶｏＬＴＥ用のＡＰＮが含まれている加入者プロファイルをＨＳＳ２４１からダウンロードする（Ｓ１０３）。また、ＭＭＥ２４２は、３Ｇのコアネットワーク２２０との間で連携した位置登録のために、ＭＳＣ２２４に位置登録要求を送信する（Ｓ１０４）。ＭＳＣ２２４は、ＭＭＥ２４２から受信した置登録要求に基づいてＨＳＳ２４１との間で位置登録手順を行い（Ｓ１０５）、ＭＭＥ２４２に位置登録応答を送信する（Ｓ１０６）。
【００４７】
次に、ＭＭＥ２４２は、ＨＳＳ２４１から取得したＶｏＬＴＥ用のＡＰＮの情報に基づいて接続先のＰＧＷ２４４を決定し、ＬＴＥのコアネットワーク（ＥＰＣ）２４０にＶｏＬＴＥ用ベアラ（ＳＩＰ用ベアラ）を構築するために、ＶｏＬＴＥ用ベアラ設定要求をＰＧＷ２４４に送信する（Ｓ１０７）。ＰＧＷ２４４は、ＬＴＥベアラ設定手順を実行し、その手順の中で通信端末装置１０のＩＰアドレスを割り当てるとともに通信端末装置１０が接続すべきＰ−ＣＳＣＦ２５１のアドレスを特定する（Ｓ１０８）。更に、ＰＧＷ２４４は、通信端末装置１０との間で情報を直接交換する際に用いる情報要素であるＰＣＯ（プロトコル構成オプション）に上記Ｐ−ＣＳＣＦ２５１のアドレスを設定し、そのＰ−ＣＳＣＦ２５１のアドレスが設定されたＰＣＯを含むベアラ応答をＭＭＥ２４２に通知する（Ｓ１０９）。ＭＭＥ２４２は、ＰＧＷ２４４から受信したベアラ応答に基づいて、Ｐ−ＣＳＣＦアドレスが設定されたＰＣＯを含むアタッチ完了信号を通信端末装置１０に送信する（Ｓ１１０）。これにより、ＬＴＥのコアネットワーク（ＥＰＣ）２４０へのアタッチ手順が完了し、ＶｏＬＴＥ用ベアラ（ＳＩＰ用ベアラ）が構築される。
【００４８】
ＬＴＥのコアネットワーク（ＥＰＣ）２４０へのアタッチ手順が完了後、通信端末装置１０はＩＭＳ登録処理を起動し、ＳＩＰ用ベアラを介してＳ−ＣＳＣＦ２５２に対するＩＭＳ登録手順を開始する（Ｓ１１１）。まず、通信端末装置１０は、Ｐ−ＣＳＣＦ２５１を介してＳ−ＣＳＣＦ２５２にＩＭＳ登録要求信号を送信する（Ｓ１１２）。このＩＭＳ登録要求信号には、通信端末装置１０の端末識別子であるＩＭＥＩ（国際移動体装置識別番号）と、ＩＭＳ音声サービスを示す値であるＩＣＳＩ（ＩＭＳ通信サービス識別子）とが設定される。これらの情報はＩＭＳのサービス制御及び課金制御などに用いられる。
【００４９】
通信端末装置１０からのＩＭＳ登録要求信号がＰ−ＣＳＣＦ２５１を経由してＳ−ＣＳＣＦ２５２に届くと、Ｓ−ＣＳＣＦ２５２は、ＨＳＳ２４１との間でＳ−ＣＳＣＦ登録手順を実施し（Ｓ１１３）、ＨＳＳ２４１から取得したユーザ認証に必要な情報に基づいて通信端末装置１０との間でユーザ認証手順を行う（Ｓ１１４）。ユーザ認証が成功した後、Ｓ−ＣＳＣＦ２５２は、通信端末装置１０のユーザに対するサービス制御情報をＨＳＳ２４１からダウンロードして保持し（Ｓ１１５）、通信端末装置１０にＩＭＳ登録完了を通知する（Ｓ１１６）。このＩＭＳ登録完了を通信端末装置１０が受信することにより、ＩＭＳ登録処理が完了する。
【００５０】
次に、本実施形態に係る通信端末装置１０からＶｏＬＴＥの音声発信を行うときの処理について説明する。
図５は、本実施形態に係る通信端末装置においてＶｏＬＴＥの音声発信を行うときの処理手順の一例を示すシーケンス図である。なお、図５では、ＶｏＬＴＥの音声発信側及び音声着信側の通信端末端末をそれぞれ、通信端末装置１０Ｓ及び通信端末装置１０Ｒと区別して記載している。また、本例で用いられるＶｏＬＴＥのプロファイルでは、「ｐｒｅｃｏｎｄｉｔｉｏｎ」と呼ばれる発着両方の音声メディア用ベアラ設定が完了してからＶｏＬＴＥのセッションを接続する方式が採用されている。
【００５１】
図５において、ユーザが通信端末装置１０Ｓを操作して音声通信のための発信の操作を行うと（Ｓ２０１）、通信端末装置１０ＳはＳＩＰ用ベアラを介してＰ−ＣＳＣＦ２５１に向けてＩＮＶＩＴＥ信号を送信する（Ｓ２０２）。ＩＮＶＩＴＥ信号は、Ｐ−ＣＳＣＦ２５１、Ｓ−ＣＳＣＦ２５２、ＡＳ２５４を経由して、着信側の他のＩＭＳ網７０及び通信端末装置１０Ｒに届けられる。ＩＮＶＩＴＥ信号には、発信側ユーザの識別子、着信側ユーザの識別子、ｐｒｅｃｏｎｄｉｔｉｏｎを利用すること、及び、発信側の通信端末装置１０Ｓのコーデック能力などが設定されている。
【００５２】
着信側のＩＭＳ網８０は、ＩＮＶＩＴＥ信号に対する応答として、セッション進捗状況メッセージ（１８３・セッション・プログレス）をＰ−ＣＳＣＦ２５１に送信する（Ｓ２０３）。セッション進捗状況メッセージには、着信側の通信端末装置１０Ｒのコーデック等の情報が設定されている。
【００５３】
Ｐ−ＣＳＣＦ２５１は、着信側のＩＭＳ網８０側からセッション進捗状況メッセージを受信すると、音声メディア用ベアラの構築を指示するサービス通知をＰＣＲＦ２４５に送信する（Ｓ２０４）。ＰＣＲＦ２４５は、コアネットワーク２４０のＰＧＷ２４４やＳＧＷ２４３等と連携して、音声メディア用ベアラの構築とＱｏＳの設定とを行う（Ｓ２０５）。
【００５４】
また、Ｐ−ＣＳＣＦ２５１は、セッション進捗状況メッセージ（１８３・セッション・プログレス）を発信側の通信端末装置１０Ｓに送信する（Ｓ２０６）。通信端末装置１０Ｓは、Ｐ−ＣＳＣＦ２５１からのセッション進捗状況メッセージを受けると、自身の能力と着信側の通信端末装置１０Ｒの能力とを比較して音声通信に利用するコーデックを決定する。そして、通信端末装置１０Ｓは、その決定したコーデックの情報を、ＰＲＡＣＫ信号を用いて着信側の通信端末装置１０Ｒに通知し、通信端末装置１０Ｒから２００ＯＫ信号の応答を得る（Ｓ２０７）。
【００５５】
次に、発信側の通信端末装置１０Ｓが着信側のＩＭＳ網８０にＵＰＤＡＴＥ信号を送信し、その応答である２００ＯＫ信号を着信側のＩＭＳ網８０から受信することにより、発信側のＩＭＳ２５０と着信側のＩＭＳ網８０との間で音声メディア用ベアラとＱｏＳの設定が完了したことを確認しあう（Ｓ２０８、Ｓ２０９）。その後、着信側のＩＭＳ網８０がＲＩＮＧＩＮＧ及びＰＲＡＣＫ信号等によるユーザ呼び出し処理を開始し（Ｓ２１０、Ｓ２１１）、その呼び出しに着信側の通信端末装置１０Ｒのユーザが応答すると（Ｓ２１２）、着信側のＩＭＳ網８０は応答信号（２００ＯＫ信号）を発信側の通信端末装置１０Ｓに送信する（Ｓ２１３）。この着信側のＩＭＳ網８０からの応答信号が発信側の通信端末装置１０Ｓに届くと、通信端末装置１０Ｓ，１０Ｒ間でＶｏＬＴＥの音声通信のセッションが確立し、実際の音声通話が開始される（Ｓ２１４）。
【００５６】
上記通信端末装置１０では、通話中に他の通信端末装置から着信があったときに、通話を一旦保留にして、その着信に応答する割り込み着信サービスを利用することができる。この割り込み着信サービスは、通信端末装置１０が３Ｇセルに在圏しているか４Ｇ（ＬＴＥ）セルに在圏しているかによって処理手順が異なる場合がある。これは、３Ｇの通信システムとＬＴＥの通信システムとでは割り込み着信（ＣＷ：コミュニケーション・ウェイティング）サービスの提供方法が異なる場合があるためである。
【００５７】
通信端末装置１０が３Ｇセルに在圏している場合、ＮＷ（ネットワーク）ベースのＣＷサービスが網側より提供される場合には、サーバ等の網側装置がＸＣＡＰ（ＸＭＬ・コンフィグレーション・アクセス・プロトコル）による割り込み着信のＯＮ／ＯＦＦ設定情報であるＣＷ設定情報の参照結果に基づいて、ＣＷサービスのＯＮ（割り込み着信許可）／ＯＦＦ（割り込み着信拒否）を判断し、着側の通信端末装置１０に割り込み着信である第２呼の着信させるか否かを決定する。この場合には、網側装置において、ＸＣＡＰによるＣＷ設定情報の参照結果に基づく第２呼の割り込み着信のＯＮ／ＯＦＦ制御が必要となる。
【００５８】
一方、通信端末装置１０が４Ｇ（ＬＴＥ）セルに在圏しているときに、端末べースのＣＷサービスが網側より提供される場合には、通信端末装置１０がＸＣＡＰによるＣＷ設定情報の参照結果に基づいてＣＷサービスのＯＮ（割り込み着信許可）／ＯＦＦ（割り込み着信拒否）を判断し、第２呼を割り込み着信として着信してユーザに通知するか、第２呼の割り込み着信を拒否するかを決定する。
【００５９】
このように、通信端末装置１０が在圏する在圏網の種類（３Ｇセル、４Ｇセル）によって割り込み着信サービス（ＣＷサービス）の網側処理が異なる場合には、通信端末装置１０は、ＸＣＡＰによるＣＷ設定情報の参照機能と、そのＣＷ設定情報を端末内に保存する機能と、端末内に保存されているＣＷ設定情報に基づいて割り込み着信サービス（ＣＷサービス）のＯＮ／ＯＦＦ制御を行う機能とが実装されている必要がある。
【００６０】
そこで、本実施形態の通信端末装置１０は、次の（Ａ１）〜（Ａ３）のように実装されている。
（Ａ１）ＸＣＡＰによる通信を利用して、網側のＸＤＭサーバ２５６へＣＷサービスのＯＮ／ＯＦＦ設定情報（ＣＷ設定情報）を反映させる。
（Ａ２）通信端末装置１０の内部にＣＷサービスのＯＮ／ＯＦＦ設定情報（ＣＷ設定情報）を保持する。
（Ａ３）ＣＷサービスのＯＮ／ＯＦＦ設定の初期値を通信端末装置１０が保持する（例えば、初期値：ＯＮ）。
【００６１】
また、本実施形態の通信端末装置１０は、４Ｇ（ＬＴＥ）セルの在圏時に第２呼の割り込み着信を受けた場合、次の（Ｂ１）〜（Ｂ２）のような制御を行う。
（Ｂ１）ＣＷ設定情報がＯＮの場合：ＩＭＳ網２５０のＡＳ２５４は、通信端末装置１０において第２呼の割り込み着信があったと判断し、第２呼の割り込み着信を通信端末装置１０へ送信する。通信端末装置１０は第２呼の割り込み着信をユーザに通知し、第２呼の通信端末装置に向けて、呼び出し中（１８０  Ｒｉｎｇｉｎｇ）のメッセージを含む応答信号を送信する。ここで、ＩＭＳ網２５０のＡＳ２５４は、通信端末装置１０から当該呼び出し中のメッセージを含む応答信号を受信すると、通信端末装置１０から受信した当該メッセージ又は他の所定のメッセージを含む応答信号を第２呼の通信端末装置に転送する。
（Ｂ２）ＣＷ設定情報がＯＦＦの場合：ＩＭＳ網２５０のＡＳ２５４は、通信端末装置１０において第２呼の割り込み着信があったと判断し、第２呼の割り込み着信を通信端末装置１０へ送信する。通信端末装置１０は第２呼の割り込み着信をユーザに通知せず、第２呼の通信端末装置に向けて、話し中（４８６  Ｂｕｓｙ  Ｈｅｒｅ）のメッセージを含む応答信号を送信する。ここで、ＩＭＳのＡＳは、通信端末装置１０から当該話し中のメッセージを含む応答信号を受信すると、通信端末装置１０から受信した当該メッセージ又は他の所定のメッセージを含む応答信号を第２呼の通信端末装置に転送する。
【００６２】
図６は、割り込み着信のＯＮ／ＯＦＦ設定情報（ＣＷ設定情報）がＯＦＦに設定されているユーザＢの通信端末装置１０Ｂが４Ｇ（ＬＴＥ）セル在圏時にユーザＣの通信端末装置１０ＣとＶｏＬＴＥによる通話中にユーザＡの通信端末装置１０Ａから第２呼の割り込み着信があったときの処理の一例を示すシーケンス図である。
【００６３】
図６において、通信端末装置１０Ｂは、ユーザＢの操作により割り込み着信のＯＮ／ＯＦＦ設定情報（ＣＷ設定情報）がＯＦＦに設定され、その設定情報を主制御部１１０の所定メモリ内に格納するとともに、３ＧにおけるＮＷベースのＣＷ処理のために当該設定情報をＸＣＡＰ（ＰＵＴ：Ｄｅａｃｔｉｖｅ）によりＩＭＳ網２５０のＸＤＭサーバ２５６に送信して登録する（Ｓ３０１）。
【００６４】
そして、ユーザＢの通信端末装置１０ＢとユーザＣの通信端末装置１０Ｃとの間でＶｏＬＴＥによる通話中に、ユーザＡの通信端末装置１０ＡからユーザＢの通信端末装置１０ＢにＶｏＬＴＥによる発呼がなされる（Ｓ３０２）。すると、ユーザＡの通信端末装置１０Ａから、ユーザＡのＩＭＳ網８０を介してＩＭＳ網２５０にセッション確立要求であるＩＮＶＩＴＥ（Ｂ）信号が送信される（Ｓ３０３）。ここで、ＩＭＳ網２５０では、ステップＳ３０１におけるユーザＢの端末操作により、ＸＤＭサーバ２５６に格納されている所定のＸＭＬ文書のＣＷ設定情報がＯＦＦに設定されている（Ｓ３０４）が、４Ｇにおいては端末ベースのＣＷであるためＩＮＶＩＴＥ（Ｂ）信号を受信したＩＭＳ網２５０は、ＩＮＶＩＴＥ（Ｂ）信号の暫定応答をユーザＢの通信端末装置１０Ｂに送信する（Ｓ３０５）。
【００６５】
その後、ユーザＢの通信端末装置１０Ｂは、上記ステップＳ３０１にて主制御部１１０の所定メモリ内に格納された割り込み着信設定情報（ＣＷ設定情報）を呼び出し、その設定に応じた処理を開始する。すなわちＩＭＳ網２５０及びユーザＡのＩＳＭ網８０を介して、ユーザＡの通信端末装置１０Ａに話し中（４８６  Ｂｕｓｙ  Ｈｅｒｅ）メッセージを送信する（Ｓ３０９）。
【００６６】
なお、通信端末装置１０Ｂのアプリ側でＣＷサービスのＯＮ／ＯＦＦを制御する場合、ＩＭＳ網２５０のＡＳ２５４は、上記ステップＳ３０７でユーザＢの通信端末装置１０Ｂから上記呼び出し中（１８０  ＲＩＮＧＩＮＧ）メッセージの応答信号を受信して初めてユーザＡの通信端末装置１０Ａから第２呼の割り込み着信があったことを検知できる。このため、ユーザＢの通信端末装置１０Ｂは、上記呼び出し（１８０  ＲＩＮＧＩＮＧ）メッセージを送信した直後に、ＩＭＳ網２５０及びユーザＡのＩＳＭ網８０を介して、ユーザＡの通信端末装置１０Ａに話し中（４８６  Ｂｕｓｙ  Ｈｅｒｅ）メッセージを送信する（Ｓ３０９）。
【００６７】
上記図６を用いて説明した割り込み着信処理においては、４Ｇ（ＬＴＥ）セルに在圏するユーザＢの通信端末装置１０Ｂの割り込み着信設定情報（ＣＷ設定情報）がＯＦＦの場合、ユーザＣの通信端末装置１０ＣとのＶｏＬＴＥの通話中にユーザＡの通信端末装置１０Ａから第２呼の割り込み着信があったとき、その第２呼の割り込み着信をユーザへ通知せずに、他の通信端末装置と通話中である旨の話し中のメッセージを含む応答信号をユーザＡの通信端末装置１０Ａに確実に送信することができる。
【００６８】
なお、割り込み着信設定情報（ＣＷ設定情報）がＯＦＦに設定されているユーザＢの通信端末装置１０Ｂが３Ｇ（ＷＣＤＭ）セルに在圏する場合に、第２呼の割り込み着信を受けたときは、網側装置が、割り込み着信設定情報（ＣＷ設定情報）に基づいて第２呼の割り込み着信信号を通信端末装置１０に送信されず、通信端末装置１０Ｂでは、第２呼の割り込み着信のユーザ通知が行われない。
【００６９】
図７は、割り込み着信のＯＮ／ＯＦＦ設定情報（ＣＷ設定情報）がＯＮに設定されているユーザＢの通信端末装置１０Ｂが４Ｇ（ＬＴＥ）セル在圏時にユーザＣの通信端末装置１０ＣとＶｏＬＴＥによる通話中に、ユーザＡの通信端末装置１０Ａから第２呼の割り込み着信があったときの処理の一例を示すシーケンス図である。
【００７０】
図７において、通信端末装置１０Ｂは、ユーザＢの操作により割り込み着信のＯＮ／ＯＦＦ設定情報（ＣＷ設定情報）がＯＮに設定され、その設定情報を主制御部１１０の所定メモリ内に格納するとともに、３ＧにおけるＮＷベースのＣＷ処理のために当該設定情報をＸＣＡＰ（ＰＵＴ：Ｄｅａｃｔｉｖｅ）によりＩＭＳ網２５０のＸＤＭサーバ２５６に送信して登録する（Ｓ４０１）。
【００７１】
そして、ユーザＢの通信端末装置１０ＢとユーザＣの通信端末装置１０Ｃとの間でＶｏＬＴＥによる通話中に、ユーザＡの通信端末装置１０ＡからユーザＢの通信端末装置１０ＢにＶｏＬＴＥによる発呼がなされる（Ｓ４０２）。すると、ユーザＡの通信端末装置１０Ａから、ユーザＡのＩＭＳ網８０を介してＩＭＳ網２５０にセッション確立要求であるＩＮＶＩＴＥ（Ｂ）信号が送信される（Ｓ４０３）。ここで、ＩＭＳ網２５０では、ステップＳ４０１におけるユーザＢの端末操作により、ＸＤＭサーバ２５６に格納されている所定のＸＭＬ文書のＣＷ設定情報がＯＮに設定されている（Ｓ４０４）。そして、ＩＮＶＩＴＥ（Ｂ）信号を受信したＩＭＳ網２５０は、ＩＮＶＩＴＥ（Ｂ）信号の暫定応答をユーザＢの通信端末装置１０Ｂに送信する（ステップＳ４０５）。
【００７２】
その後、ＩＭＳ網２５０及びユーザＡのＩＭＳ網８０を介して、ユーザＡの通信端末装置１０ＡとユーザＢの通信端末装置１０Ｂとの間で、セッション進捗状況メッセージ（１８３・セッション・プログレス）／ＰＲＡＣＫ／ＵＰＤＡＴＥ処理が実行される（Ｓ４０６）。このステップＳ４０６におけるセッション進捗状況メッセージ／ＰＲＡＣＫ／ＵＰＤＡＴＥ処理については、前述の図６を用いて説明したステップＳ３０６と同様な処理であるので、説明を省略する。
【００７３】
次に、上記ステップ４０６のセッション進捗状況メッセージ／ＰＲＡＣＫ／ＵＰＤＡＴＥ処理によってＩＰベアラが発着ともに使用可能な状態になったことが確認された時点で、着信側であるユーザＢの通信端末装置１０Ｂの呼び出しが可能となり、通信端末装置１０ＢにおいてユーザＡの割り込み着信がある旨の通知がなされる（ステップＳ４０７）。また、通信端末装置１０Ｂで呼び出しが開始されたことが呼び出し中（１８０  ＲＩＮＧＩＮＧ）メッセージで発信側へ送信される（Ｓ４０８）。この呼び出し中メッセージを受信したＩＭＳ網２５０のＡＳ２５４は、セッション進捗状況メッセージを、ユーザＡのＩＭＳ網８０を介してユーザＡの通信端末装置１０Ａに送信する（Ｓ４０９）。
【００７４】
なお、前述の図６の場合と同様に通信端末装置１０Ｂのアプリ側でＣＷサービスのＯＮ／ＯＦＦを制御する場合、ＩＭＳ網２５０のＡＳ２５４は、上記ステップＳ４０８でユーザＢの通信端末装置１０Ｂが上記呼び出し（１８０  ＲＩＮＧＩＮＧ）メッセージを受信して初めてユーザＡの通信端末装置１０Ａから第２呼の割り込み着信があったことを検知できる。このため、ユーザＢの通信端末装置１０Ｂは、上記呼び出し（１８０  ＲＩＮＧＩＮＧ）メッセージを送信した直後に、ＩＭＳ網２５０及びユーザＡのＩＳＭ網８０を介して、ユーザＡの通信端末装置１０Ａにセッション確立成功（２００  ＯＫ）メッセージを送信する（Ｓ４１０）。このセッション確立成功（２００  ＯＫ）メッセージを受信したユーザＡの通信端末装置１０Ａは、ユーザＡのＩＭＳ網８０及びＩＭＳ網２５０を介してＡＣＫ（受領確認）メッセージを送信する（Ｓ４１１）。そして、ＡＣＫメッセージを受信したユーザＢの通信端末装置１０Ｂは、ユーザＣの通信端末装置１０Ｃとの通話を保留（ＨＯＬＤ）にして、ユーザＡの通信端末装置１０Ａとの間で第２呼の割り込み着信による通話を開始することができる。
【００７５】
上記図７を用いて説明した割り込み着信処理においては、４Ｇ（ＬＴＥ）セルに在圏するユーザＢの通信端末装置１０Ｂの割り込み着信設定情報（ＣＷ設定情報）がＯＮの場合、ユーザＣの通信端末装置１０ＣとのＶｏＬＴＥの通話中にユーザＡの通信端末装置１０Ａから第２呼の割り込み着信があったとき、ユーザＣの通信端末装置１０Ｃとの間の第１呼の通話を保留にして、ユーザＡの通信端末装置１０Ａとの第２呼の割り込み着信の通話を開始するためのセッション確立成功（２００  ＯＫ）メッセージを含む応答信号を、ユーザＡの通信端末装置１０Ａに確実に送信することができる。
【００７６】
なお、割り込み着信設定情報（ＣＷ設定情報）がＯＮに設定されているユーザＢの通信端末装置１０Ｂが３Ｇ（ＷＣＤＭ）セルに在圏する場合に、第２呼の割り込み着信を受けたときは、網側装置が、割り込み着信設定情報（ＣＷ設定情報）に基づいて第２呼の割り込み着信信号を通信端末装置１０に送信する。この割り込み着信信号を受信した通信端末装置１０Ｂでは、第２呼の割り込み着信のユーザ通知がなされる。
【００７７】
以上示したように、本実施形態によれば、通信端末装置１０が４Ｇの移動体通信網と無線通信可能なエリアであるＬＴＥのセルに在圏してパケットデータ網を介した第１呼とのＶｏＬＴＥ通話中に第２呼の割り込み着信を受けたとき、通信端末装置１０に保持されている割り込み着信のＯＮ／ＯＦＦ設定情報に基づいて、ＯＮ設定の場合にはその割り込み着信に対する応答信号を第２呼の通信端末装置に確実に送信することができ、ＯＦＦ設定の場合には第２呼の割り込み着信をユーザに通知を行わず、通話中である旨を示す応答信号を第２呼の通信端末装置に送信することができる。
また、本実施形態によれば、３Ｇの移動体通信網と無線通信可能なエリアであるＷＣＤＭＡ（登録商標）のセルに在圏して回線交換網を介した第１呼との音声通話中に第２呼の割り込み着信を受けたときには、網側装置に保持されているで割り込み着信のＯＮ／ＯＦＦ設定情報に基づいて、ＯＮ設定の場合は割り込み着信信号が通信端末装置１０に送信されユーザ通知がなされ、ＯＦＦ設定の場合には割り込み着信信号が通信端末装置１０に送信されず、ユーザに通知も行われない。
以上のように、本実施形態によれば、４Ｇの移動体通信網を介した音声通信機能及び３Ｇの移動体通信網を介した音声通信機能の両方を有する通信端末装置１０において、４Ｇのセル及び３Ｇのセルそれぞれに在圏しているときに、第１呼との通話中に第２呼の割り込み着信を受けたとき、割り込み着信のＯＮ／ＯＦＦ設定状態（ＣＷ設定状態）に応じた割り込み着信サービスを確実に提供することができる。
【符号の説明】
【００７８】
１０    通信端末装置
１０Ａ    ユーザＡの通信端末装置
１０Ｂ    ユーザＢの通信端末装置
１０Ｃ    ユーザＣの通信端末装置
２０    移動体通信網
６０    外部の回線交換電話網
７０    インターネット
８０    外部のＩＭＳ網
２１０    無線アクセスネットワーク
２１１    ３Ｇの基地局（ＮｏｄｅＢ）
２１２    ＬＴＥの基地局（ｅＮｏｄｅＢ）
２２０    ３Ｇのコアネットワーク
２２１    ＨＬＲ（位置登録装置）
２２４    ＭＳＣ（交換機）
２２５    ＧＭＳＣ（関門交換機）
２３０    専用パケットデータ網
２４０    ＬＴＥのコアネットワーク（ＥＰＣ）
２４１    ＨＳＳ（ホーム加入者サーバ）
２４２    ＭＭＥ（モビリティ管理エンティティ）
２４３    ＳＧＷ（サービング・ゲートウェイ）
２４４    ＰＧＷ（パケットデータ網・ゲートウェイ）
２４５    ＰＣＲＦ（ポリシー課金制御装置）
２５０    ＩＭＳ（ＩＰ・マルチメディア・サブシステム）網
２５１    Ｐ−ＣＳＣＦ（プロキシ−呼／セッション・制御機能）
２５２    Ｓ−ＣＳＣＦ（サービング−呼／セッション・制御機能）
２５３    Ｉ−ＣＳＣＦ（問い合わせ・呼／セッション・制御機能）
２５４    ＡＳ（アプリケーション・サーバ）
２５６    ＸＤＭ（ＸＭＬドキュメント管理）サーバ
【先行技術文献】
【非特許文献】
【００７９】
【非特許文献１】ＧＳＭＡ  ＰＲＤ  ＩＲ．９２：  “ＩＭＳ  Ｐｒｏｆｉｌｅ  ｆｏｒ  Ｖｏｉｃｅ  ａｎｄ  ＳＭＳ”，  Ｍａｒ．  ２０１１．
【非特許文献２】３ＧＰＰ  ＴＳ  ２４．６１５  Ｖ１２．１．０  （２０１４−０６），  “Ｃｏｍｍｕｎｉｃａｔｉｏｎ  Ｗａｉｔｉｎｇ  （ＣＷ）  ｕｓｉｎｇ  ＩＰ  Ｍｕｌｔｉｍｅｄｉａ  （ＩＭ）  Ｃｏｒｅ  Ｎｅｔｗｏｒｋ  （ＣＮ）  ｓｕｂｓｙｓｔｅｍ；  Ｐｒｏｔｏｃｏｌ  ｓｐｅｃｉｆｉｃａｔｉｏｎ  （Ｒｅｌｅａｓｅ  １２）”．
【非特許文献３】３ＧＰＰ  ＴＳ  ２３．００３  Ｖ１２．２．０  （２０１４−０３），“Ｔｅｃｈｎｉｃａｌ  Ｓｐｅｃｉｆｉｃａｔｉｏｎ  Ｇｒｏｕｐ  Ｃｏｒｅ  Ｎｅｔｗｏｒｋ  ａｎｄ  Ｔｅｒｍｉｎａｌｓ；  Ｎｕｍｂｅｒｉｎｇ，  ａｄｄｒｅｓｓｉｎｇ  ａｎｄ  ｉｄｅｎｔｉｆｉｃａｔｉｏｎ（Ｒｅｌｅａｓｅ  １２）”．
【要約】
【課題】４Ｇ及び３Ｇの音声通信機能を有する通信端末装置において、割り込み着信を受けたとき、割り込み着信のＯＮ／ＯＦＦ設定状態に応じた割り込み着信サービスを確実に提供することができる通信システムを提供する。
【解決手段】通信端末装置は、４Ｇの移動体通信網に在圏中に割り込み着信を受けたとき、ＯＮ／ＯＦＦ設定情報に基づいて割り込み着信のユーザ通知を制御し、３Ｇの移動体通信網に在圏中に割り込み着信を受けたとき、その割り込み着信のユーザ通知を行う。サーバは、４Ｇの移動体通信網に在圏する通信端末装置に対する割り込み着信を受けたとき、サーバに記憶されているＯＮ／ＯＦＦ設定情報にかかわらず割り込み着信を通信端末装置に転送し、３Ｇの移動体通信網に在圏する通信端末装置に対する割り込み着信を受けたとき、サーバに記憶されているＯＮ／ＯＦＦ設定情報に基づいて割り込み着信の通信端末装置への転送を制御する。
【選択図】図６【図１】
0005961713.tif 000002
【図２】
0005961713.tif 000003
【図３】
0005961713.tif 000004
【図４】
0005961713.tif 000005
【図５】
0005961713.tif 000006
【図６】
0005961713.tif 000007
【図７】
0005961713.tif 000008